(57)【要約】      （修正有）【課題】自動収納の洗濯物干し台を提供する。【解決手段】自動収納の洗濯物干し台は骨組み１、伝動ユニット２、複数の掛台３、モーター４及び制御ユニット５を含み、前記骨組み１はスライドレール１２を含み、遮蔽棚１３はスライドレール１２の一部を覆蓋する。前記伝動ユニット２及び前記複数の掛台３は共にスライドレール１２内に設置され、前記モーター４は前記スライドレール１２の伝動ユニット２を連動し、これにより前記複数の掛台３は前記スライドレール１２において移動する。前記制御ユニット５は光度センサー、水滴センサー、時間コントローラー５６からの情報信号に基づいて前記モーター４の作動を制御する。【選択図】図１
0003143814.tif 000002
【実用新案登録請求の範囲】
【請求項１】
骨組みと、伝動ユニットと、複数の掛台と、モーターと、制御ユニットとを備える自動収納の洗濯物干し台であって、
前記骨組みは、二サポートフレーム及び一スライドレールを含み、前記スライドレールは前記二サポートフレームの間に固定されるとともに、遮蔽棚を設置し、前記遮蔽棚はスライドレールの一部を覆蓋し、前記スライドレールが前記複数の掛台を移動させる移動極限位置には接触点を設置し前記掛台と接触させており、
前記伝動ユニットは、相互に噛み合う伝動ギアと伝動ベルトを含み、前記伝動ギアと前記伝動ベルトは共に前記スライドレール内に設置されており、
前記複数の掛台は、前記スライドレール内に順番に設置されるとともに、主動掛台と複数の受動掛台を含み、前記主動掛台は前記伝動ベルトに固定されて前記伝動ベルトに従い移動し、前記受動掛台には溝孔を予め設置し、前記伝動ベルトが前記溝孔に自由に穿過することができ、また前記主動掛台と前記受動掛台は共にスライド溝を備え、前記スライド溝はプルバーに自由に穿過させ、前記スライド溝中段には係合ブロックを設置し、しかも前記各プルバーの端部には共に前記スライド溝より大きい固定端と終止端を形成し、
前記モーターは、前記スライドレールの伝動ユニットを連接し駆動し、これにより前記複数の掛台は前記スライドレールにおいて移動し、 
前記制御ユニットは、光度センサーと、水滴センサーと、時間コントローラーと接続し、少なくとも光度センサーと、水滴センサーと、時間コントローラーの内の任意の一つから伝達される情報に基づき、前記モーターの作動を制御し、前記モーターは前記伝動ユニットを駆動し、前記複数の掛台は前記遮蔽棚の範囲内に集中するか、又は前記遮蔽棚の範囲外に分布する一方、前記制御ユニットは、前記スライドレールの接触点に電気的に連接し、前記接触点の情報に基づき前記モーターの作動を制御する、ことを特徴とする自動収納の洗濯物干し台。
【請求項２】
前記制御ユニットにはさらに手動制御ボタンを設置し、前記モーターの作動を直接制御することを特徴とする請求項１に記載の自動収納の洗濯物干し台。
【請求項３】
前記時間コントローラーは時間表示パネルに電気的に連接されることを特徴とする請求項１に記載の自動収納の洗濯物干し台。収穫
【請求項４】
前記制御ユニットにはリモコンを設置することを特徴とする請求項１に記載の自動収納の洗濯物干し台。
【請求項５】
前記モーターと前記制御ユニットはバッテリーに電気的に連接されることを特徴とする請求項１に記載の自動収納の洗濯物干し台。
【請求項６】
前記バッテリーはソーラーパネルに電気的に連接されることを特徴とする請求項５に記載の自動収納の洗濯物干し台。
【請求項７】
前記ソーラーパネルには受信ユニットを設置し、前記受信ユニットは、前記制御ユニットが接続する光度センサー、水滴センサー、時間コントローラーから信号を受信するとともに前記制御ユニットに伝達し、前記制御ユニットは前記信号に基づき、前記モーターの作動を制御することを特徴とする請求項６に記載の自動収納の洗濯物干し台。
【請求項８】
前記掛台には軸棒を設置し、前記軸棒中段は連結部に係合し、さらに前記連結部両側においてそれぞれローラーを設置し、前記ローラーの端面には凹溝を環状に設置し、また前記スライドレール内部には２本の等距離のレールバーを設置し、前記ローラーの凹溝に対応し、前記掛台は前記スライドレール内において移動し、また前記掛台の頂端にはスライド溝を設置し、前記スライド溝内にはプルバーを嵌入することを特徴とする請求項１に記載の自動収納の洗濯物干し台。
【請求項９】
前記サポートフレームと前記遮蔽棚の間両側には定位ロープを設置することを特徴とする請求項１に記載の自動収納の洗濯物干し台。
【考案の詳細な説明】
【技術分野】
【０００１】
本考案は、自動収納の洗濯物干し台に係り、特に天候状況又は設定条件に応じて、洗濯物干し台構造を自動的に送り出す又は取り込むことができる自動収納の洗濯物干し台に関する。
【背景技術】
【０００２】
台湾実用新案公告第４９０６４号の「自動洗濯物干し台装置」は主に、ベランダに設置可能な本体を含み、前記本体上のプラットフォーム及び前記プラットフォーム上に設置するモーター、制御配線及び前記プラットフォームと連接固定し片側に向かい延伸出する方管サポートフレーム及びその付属機構により構成される。
【０００３】
前記方管サポートフレームの両端にはそれぞれインチングスイッチを設置し、及び末端にはセンサーを設置し、天候変化に応じて、自動的に洗濯物を出し或いは自動的に取り込む。
【０００４】
また、台湾実用新案公告第３９１４３８号の「自動洗濯物干し台改良構造」は、ベース、回転フレーム、調整台及び固定台を組合せ構成し、これにセンサーを対応させることで、洗濯物干し台の内フレーム体は延伸或いは折り畳まれ、しかも回転フレームはそれに従い連動され、洗濯物干し台の使用方向を適当に回転させ、これにより洗濯物干し台は自動干し、取り込みの効果を達成することができる。上記２種の公知洗濯物干し台は共にセンサーを対応させるが、前記センサーはそれが確実に反応すべき天候状況を設定していないため、取り込み機能を確実に執行することはできない。
【０００５】
さらに、日本特開昭６３−７３９９７号公報、日本特開昭６１−１０３４９８号公報、大韓民国特開１９９４−０００５８５３号公報、日本特開２００３−２３０９８５号公報、日本特開昭６４−８３３００号公報等には、センサー、タイマー、制御パネル、サポートフレーム、リモコン、レール等構造を含む自動洗濯物干し台の各種構造が開示されている。しかし、前記各自動洗濯物干し台は、天候に対して特別に設計したセンサーを備えないため、降雨、強風時に即時に洗濯物干し台を自動的に収納することはできない。
【特許文献１】台湾実用新案公告第４９０６４号公報
【特許文献２】台湾実用新案公告第３９１４３８号公報
【特許文献３】日本特開昭６１−１０３４９８号公報
【特許文献４】日本特開昭６３−７３９９７号公報
【特許文献５】日本特開昭６４−８３３００号公報
【特許文献６】日本特開２００３−２３０９８５号公報
【特許文献７】大韓民国特開１９９４−０００５８５３号公報
【考案の開示】
【考案が解決しようとする課題】
【０００６】
本考案の主要な目的は、気候状況を確実かつ効果的に把握及び伝達できる自動収納の洗濯物干し台を提供することである。
【課題を解決するための手段】
【０００７】
上記課題を解決するため、考案は下記の自動収納の洗濯物干し台を提供する。自動収納の洗濯物干し台は骨組み、伝動ユニット、複数の掛台、モーター及び制御ユニットを含み、前記骨組みは二サポートフレーム及び一スライドレールを含み、前記スライドレールは前記二サポートフレームの間に固定し、また前記骨組みには遮蔽棚を設置し、前記遮蔽棚は前記スライドレールの一部を覆蓋し、前記スライドレールが前記複数の掛台を移動させる移動極限位置には接触点を設置し前記掛台を接触させ、前記伝動ユニットは相互に噛み合う伝動ギアと伝動ベルトを含み、二者は共に前記スライドレール内に設置され、前記複数の掛台は順番に前記スライドレール内に設置し、前記複数の掛台は一主動掛台と複数の受動掛台を含み、前記主動掛台は上記伝動ベルトに固定し、それに従い移動し、他の受動掛台は溝孔を予め設置し、前記伝動ベルトが自由に穿過することができ、また前記主動掛台と前記受動掛台は共にスライド溝を備え、前記スライド溝はプルバーを自由穿過させ、前記スライド溝中段には係合ブロックを設置し、しかも前記各プルバーの端部には共に前記スライド溝より大きい固定端と終止端を形成し、モーターは前記スライドレールの伝動ユニットを連接し駆動し、これにより前記複数の掛台は前記スライドレールにおいて移動し、前記制御ユニットは光度センサー、水滴センサー、時間コントローラーを接続し、少なくとも光度センサー、水滴センサー、時間コントローラーの内の任意の一つから伝達される情報に基づき、前記モーターの作動を制御し、前記モーターは前記伝動ユニットを駆動し、前記複数の掛台は前記遮蔽棚の範囲内に集中し、或いは前記遮蔽棚の範囲外に分布し、前記制御ユニットは前記スライドレールの接触点に電気的に連接し、前記接触点の情報に基づき前記モーターの作動を制御することを特徴とするものである。
【０００８】
ここでは、前記制御ユニットにはさらに手動制御ボタンを設置し、前記モーターの作動を直接制御する。また、前記時間コントローラーは時間表示パネルを電気的に連接する。
【０００９】
また、前記制御ユニットにはリモコンを対応し設置する。
【００１０】
また、前記モーター、前記制御ユニットはバッテリーに電気的に連接し、前記バッテリーはソーラーパネルに電気的に連接し、前記ソーラーパネルには受信ユニットを設置し、前記制御ユニットが接続する光度センサー、水滴センサー、時間コントローラーの信号を収集し、前記制御ユニットに伝達し、前記制御ユニットは前記信号に基づき、前記モーターの作動を制御する。
【００１１】
前記掛台には軸棒を設置し、前記軸棒中段は連結部に係合し、前記連結部両側にはそれぞれローラーを設置し、前記ローラーの端面には凹溝を環状に設置し、前記スライドレール内部には２本が等距離のレールバーを設置し、前記ローラーの凹溝に対応し、前記掛台は前記スライドレール内において定方向の移動を行うことができ、前記掛台の頂端にはスライド溝を設置し、前記スライド溝内にはプルバーを嵌入する。さらに、前記サポートフレームと遮蔽棚の間両側には定位ロープを設置する。
【考案の効果】
【００１２】
上記のように、本考案は以下の利点を備える。
１．本考案は手動(手動制御ボタン)或いは自動(自動制御ボタン)により洗濯物の送り出し或いは取り込みを制御することができる。
２．本考案は自動制御ボタンにより、光線を探知し、洗濯物の送り出し或いは取り込みを制御することができ、夕方時等は洗濯物を自動的に収納することができる。
３．本考案は自動制御ボタンにより、雨を探知し、洗濯物の送り出し或いは取り込みを制御することができ、降雨時等には洗濯物を自動的に収納することができる。また雨がやみ、光線が十分であれば、洗濯物を再度自動的に送り出すことができる。
【００１３】
４．本考案は時間コントローラーにより、一定の時間を設定し、洗濯物の取り込みを制御することができる。
５．本考案は洗濯物送り出し行程の距離を手動制御可能で、干そうとする洗濯物が比較的少なければ、送り出し行程を比較的短くし、使用者の必要に応じて自身で制御することができる。
６．本考案はリモコンを設置し、使用者は制御ユニットをリモートコントロールすることができる。
【００１４】
７．本考案はソーラーパネルを設置し、光エネルギーを電気エネルギーに転換し、節電に効果的で、環境保護に貢献することができる。
８．本考案の掛台は一切の固定部品に寄らずにローラーを装置可能で、定方向の移動を行うことができ、スライドレールにおいてその装置は便利で、工期を短縮可能で、作動は精確である。
９．本考案の遮蔽棚は封鎖空間で、これにより取り込んだ洗濯物が強風降雨で濡れ、或いは過度な湿気で湿ることはない。
１０．本考案サポートフレームと遮蔽棚の間には定位ロープを設置し、これにより洗濯物を定位し、こうして洗濯物は移動或いは風力により左右に揺れ動くことはない。
【考案を実施するための最良の形態】
【００１５】
図１〜５に示すように、本考案は骨組み1、伝動ユニット2、複数の掛台3、モーター4、制御ユニット5、バッテリー6、ソーラーパネル7を含む。
【００１６】
前記骨組み1は二サポートフレーム11及び一スライドレール12を含む。前記スライドレール12は前記二サポートフレーム11の間に固定する。前記骨組み1には遮蔽棚13を設置し、前記遮蔽棚13はスライドレール12の一部を覆蓋する。前記遮蔽棚13は封鎖空間で、これにより取り込んだ洗濯物は強風降雨で濡れ、或いは過度な湿気で湿ることはなく、取り込んだ洗濯物は風雨を避けることができる。
前記サポートフレーム11と前記遮蔽棚13の間には定位ロープ14を設置し、これにより洗濯物を定位し、こうして洗濯物は移動或いは風力により左右に揺れ動くことはない。
【００１７】
前記伝動ユニット2は相互に噛み合う伝動ギア21と伝動ベルト22を含む。二者は共に前記骨組み1のスライドレール12内に設置し、前記伝動ギア21の回転方法変化に応じて、前記伝動ベルト22は前記スライドレール12内において進行方向を改変することができる。
【００１８】
図３、６に示すように、前記複数の掛台3は主動掛台3Aと複数の受動掛台3Bを含む。それは順番に前記スライドレール12内に設置し、最も外側に位置する主動掛台3Aは上記伝動ベルト22に固定し、それに従い移動する。他の受動掛台3Bは溝孔31Bを予め設置し、前記伝動ベルト22が自由に穿過することができる。
【００１９】
前記主動掛台3Aと前記受動掛台3は共に掛孔31A、32Bとスライド溝32A、33Bを備え、前記掛孔31A、32Bは外物(ハンガー等)を掛けるために用いる。前記スライド溝32A、33Bにはプルバー31が自由穿過し、前記スライド溝32A、33B中段には係合ブロック321A、331Bを設置する。
【００２０】
相互に隣接する掛台3 (主動掛台3Aと受動掛台3Bを含む)間は独立したプルバー31により相互に連接し、前記各プルバー31はすべて前記掛台3上に予め設置するスライド溝32A、33Bを緩く穿過する。しかも前記各プルバー31の端部すべてには、前記スライド溝32A、33Bより大きい固定端311と終止端312を形成し、前記固定端311と終止端312により前記スライド溝32A、33Bの係合ブロック321A、331Bを係合固定する。前記固定端311は前記係合ブロック321A位置に係合し、固定し、前記終止端312は前記係合ブロック331Bにおいてのみ係合固定或いは緩めることができる。
【００２１】
図１に合わせて示すように、前記モーター4は前記伝動ユニット2の伝動ギア21を連接し、前記モーター4が出力する動力は前記伝動ギア21、前記伝動ベルト22の伝送を通して、前記複数の掛台3を前記スライドレール12において移動させる。
【００２２】
図１、４、５に合わせて示すように、前記制御ユニット5は電源スイッチ51、自動制御ボタン52、手動制御ボタン53を備える。
前記制御ユニット5はまた、光度センサー54、水滴センサー55、時間コントローラー56を接続し、少なくとも前記光度センサー54、前記水滴センサー55、前記時間コントローラー56の内の任意の一つから伝達される情報に基づき、前記モーター4の作動を制御し、これにより前記モーター4は前記伝動ユニット2の伝動ギア21を駆動し、前記伝動ベルト22を通して、複数の掛台3は前記遮蔽棚13の範囲内に集中し、或いは前記遮蔽棚13の範囲外に分布する。
【００２３】
また、前記光度センサー54、前記水滴センサー55、前記時間コントローラー56は前記自動制御ボタン52を押すことで起動することができ、すなわち、前記自動制御ボタン52は光度センサー54、水滴センサー55、時間コントローラー56をコントロールし、これにより前記伝動ユニット2の送り出し或いは回収を制御することができる。また前記制御ユニット5には手動制御ボタン53を設置し、直接前記モーター4の作動を制御することができる。
【００２４】
前記制御ユニット5には異常灯A、充電灯B、弱電灯C等ランプを設置し、これにより洗濯物干し台の状況を表示する。この部分の作用については後述する。
【００２５】
前記モーター4、前記制御ユニット5は前記バッテリー6に電気的に連接し、前記バッテリー6はソーラーパネル7に電気的に連接する。前記ソーラーパネル7は光エネルギーを電気エネルギーに転換し、前記バッテリー6中に蓄電し、作動時の電力を供給する。
【００２６】
前記スライドレール12が前記複数の掛台3を移動させる移動極限位置には接触点121を設置し前記掛台3を接触させる。前記接触点121は前記制御ユニット5に電気的に連接し、こうして前記制御ユニット5は前記接触点121の情報に基づき前記モーター4の作動を制御する。
【００２７】
前記光度センサー54は光線の光度不足を感知すると、信号を前記制御ユニット5に伝達する。別に、前記水滴センサー55は水滴の滴入を感知し、信号を前記制御ユニット5に伝達する。また、前記制御ユニット5は前記時間コントローラー56に対応し、時間表示パネル561を電気的に連接し、前記時間表示パネル561は「時」、「分」を備え、時間を入力可能で、時間計測の便を図る。
【００２８】
水滴センサー55、制御ユニット5及びソーラーパネル7の外観図である図５に示すように、水滴が前記水滴センサー55に滴ると、正極線551、負極線552に通電し、信号を前記制御ユニット5(図示せず)に伝達し、自動取り込み行程を起動する。
【００２９】
図６、７に示すように、前記各主動掛台3A(受動掛台3Bも同様)には二軸棒32を設置し、前記軸棒32中段は連結部33に緊密に対応し係合し、これにより前記軸棒32二端は外部へと露出する。別に露出した軸棒32上にはそれぞれローラー34を嵌設し、前記ローラー34の周囲面には凹溝35を設置する。
【００３０】
前記スライドレール12内部には二レールバー122を突出設置し、前記ローラー34の凹溝35に対応し、こうして前記主動掛台3A及び前記受動掛台3Bは前記スライドレール12内において定方向の移動を行うことができる。前記主動掛台3Aは前記伝動ユニット2の伝動ベルト22と固定連結し、前記伝動ベルト22に従い移動する。
【００３１】
図７に示すように、本考案の受動掛台3A(主動掛台3Bもまた同様)は一切の固定部品(ボルト、ナット、C型リングフック)に頼らず、ローラー34を装置可能で、前記スライドレール12内において定方向のスライド移動を行わせることができる。
【００３２】
前記ローラー34の凹溝35は前記スライドレール12内の等距離レールバー122上に装置し、これに加え前記スライドレール12の輪郭が前記掛台3のローラー34外周囲を適当に覆うことで、前記ローラー34は緩く回転しながら前記軸棒32を離脱することがない。こうしてその全体的組立ては便利となり、工期を短縮可能で、しかも精確に作動させることができる。
【００３３】
本考案展開時には図２、３、６に示すように、前記伝動ベルト22は前記遮蔽棚13外部の方向に向かい移動し、前記主動掛台3Aは前記伝動ベルト22に引かれ、これに前記伝動ベルト22は続く。
【００３４】
前記主動掛台3Aと隣接する受動掛台3Bが引かれ、前記プルバー31の長さに近付きつつある時には、前記プルバー31両端の固定端311と終止端312は、前記主動掛台3A内スライド溝32Aの係合ブロック321Aと前記受動掛台3B内スライド溝33Bの係合ブロック331Bをそれぞれ押さえ、こうして前記主動掛台3Aは前記プルバー31により次の受動掛台3Bを引き、それに従い移動させ、その後すべての受動掛台3Bはすべて相同の方式により引かれ移動し定位される。
【００３５】
復位時には、図９、１０に示すように、前記伝動ベルト22は前記遮蔽棚13方向に向かい移動する。前記主動掛台3Aは前記伝動ベルト22により引かれ、前記プルバーの終止端312は前記受動掛台3Bの係合ブロック331Bを離脱する。続いて、前記主動掛台3Aは隣接する受動掛台3Bに接触し、それを押し一緒に移動させる。この後、すべての受動掛台3Bは相同の方式により押され、主動掛台3Aとすべての受動掛台3Bが前記遮蔽棚13内に隠れるまで、前記遮蔽棚13方向へと移動する。
【００３６】
図８に示すように、本考案は自動及び手動に分けられ、前記制御ユニット5は手動制御ボタン53及び自動制御ボタン52を設置する。
前記手動制御ボタン53は送り出し及び回収の二方向に分けられ、前記制御ユニット5を直接制御し前記モーター4を起動し、前記伝動ユニット2の「送り出し」或いは「回収」を連動することができる。
【００３７】
前記手動制御ボタン53の「送り出し」方向が押されると、外への送り出し行程が始まり、前記手動制御ボタン53から手を放すと外部への送り出し行程は停止する。よってもし干そうとする洗濯物が比較的少なければ、送り出しの行程をより短くする等、その外部への送り出し距離は使用者の必要に応じて調整することができる。また、前記自動制御ボタン52は光度センサー54、水滴センサー55、時間コントローラー56が伝達する情報に応じて、前記モーター4の作動を制御する。
【００３８】
図５、８に示すように、本考案はバッテリー6及びソーラーパネル7を設置し、これにより前記制御ユニット5及び前記モーター4に電力を供給する。前記ソーラーパネル7には受信ユニット71を設置し、光度センサー54、水滴センサー55、時間コントローラー56の信号を受け取り、さらに前記制御ユニット5に伝達する。前記制御ユニット5は前記信号に基づき、前記モーター4の作動を制御する。
【００３９】
図９に示すように、本考案の実施例では、使用者は洗濯物を干し終わると、前記制御ユニット5の電源スイッチ51を押し、さらに時間コントローラー56の時間表示パネル561を制御し、「時」及び「分」を設定し、次に手動制御ボタン53或いは自動制御ボタン52を押し、前記モーター4を起動する。これにより伝動ギア21と伝動ベルト22の伝動を通して、前記主動掛台3Aと前記複数の受動掛台3Bは一つずつ引き出され、前記主動掛台3Aが前記スライドレール12の接触点121に接触すると、前記モーター4は転動を停止する。
取り込む時には、最も内側の受動掛台3Bが前記スライドレール12反対端の接触点121に接触すると(図２参照)、前記モーター4はまた転動を停止する。
【００４０】
図１１に示すように、本考案のソーラーパネル7は手動で方向を変えることができ、太陽光線照射の方向に応じて、前記ソーラーパネル7は適当な日照を受けることができる。
【００４１】
本考案の取り込みは以下のモードに分けられる。
１．定時モード：時間コントローラーに設定された時間になると、自動的に取り込む。
２．手動モード：手動制御ボタンを押し、取り込みを操作する。
３．自動モード：自動制御ボタンを押すと、降雨時には、水滴センサーは信号を受け自動的に取り込み、設定時間内に雨がやめば再度自動的に外へと送り出し、光度が不足していれば、光度センサー信号を受け自動的に取り込み、設定時間内に光度が回復すれば再度自動的に外へと送り出す。また水滴センサーが信号を受けると、光線センサーが信号を受け取っているか否かに関わらず、一律自動的に取り込む。
【００４２】
本考案はさらにリモコンを設置し、使用者は前記制御ユニット5をリモートコントロールすることができる。前記制御ユニットとモーター、光度センサー、水滴センサーの伝送インターフェースは有線伝送（ケーブル、ネット線等）或いは無線伝送（無線ネットワーク、ブルートゥース、FM等）で、図中では無線伝送方式を表示する。
【００４３】
図１に示すように、本考案は操作状態に対応し、前記制御ユニットに異常灯A、充電灯B、弱電灯C等を設置し、洗濯物干し台の適所には照明灯(図示せず)を設置する。その作用は以下の通りである。
【００４４】
異常灯A：その点滅時には、ハンガーの出入り作動中に洗濯物が引っ掛かり或いは過重等の異常状態が出現したことを示す。この時ハンガーは直ちに運転を停止し、自動的に電源はオフになる。
【００４５】
充電灯B：その点滅時には、ソーラーパネルが充電中であることを示す。
【００４６】
弱電灯C：その点滅時には、ソーラーパネルが既に長時間未充電で、或いはバッテリーが損壊しており蓄電機能を備えず、バッテリーを交換する必要があることを示す。
【００４７】
照明灯：自動或いは手動操作で10分間点灯後に消灯する。
【図面の簡単な説明】
【００４８】
【図１】本考案の全体斜視図である。
【図２】本考案の組合せ（送り出し状態）説明図である。
【図３】本考案の組合せ説明図の局部拡大図である。
【図４】本考案の制御ユニットの構造図である。
【図５】本考案に係る水滴センサー、制御ユニット及びソーラーパネルの斜視図である。
【図６】本考案に係る掛台の分解斜視図である。
【図７】本考案に係る掛台がスライドレールに係合する断面図である。
【図８】本考案の作動ブロックチャートである。
【図９】本考案の組合せ（回収状態）説明図である。
【図１０】本考案の回收状態時の掛台の拡大図である。
【図１１】本考案に係るソーラーパネル転換方向の説明図である。
【符号の説明】
【００４９】
1    骨組み
11   サポートフレーム
12   スライドレール
121  接触点
122  レールバー
13   遮蔽棚
14   定位ロープ
2    伝動ユニット
21   伝動ギア
22   伝動ベルト
3    掛台
3A   主動掛台
31A  掛孔
32A  スライド溝
3B   受動掛台
31B  溝孔
32B  掛孔
321A 係合ブロック
33B  スライド溝
31   プルバー
311  固定端
312  終止端
32   軸棒
33   連結部
331B 係合ブロック
34   ローラー
35   凹溝
4    モーター
5    制御ユニット
51   電源スイッチ
52   自動制御ボタン
53   手動制御ボタン
54   光度センサー
55   水滴センサー
551  正極線
552  負極線
56   時間コントローラー
561  時間表示パネル
6    バッテリー
7    ソーラーパネル
71   受信ユニット
A    異常灯
B    充電灯
C    弱電灯
【図１】
0003143814.tif 000003
【図２】
0003143814.tif 000004
【図３】
0003143814.tif 000005
【図４】
0003143814.tif 000006
【図５】
0003143814.tif 000007
【図６】
0003143814.tif 000008
【図７】
0003143814.tif 000009
【図８】
0003143814.tif 000010
【図９】
0003143814.tif 000011
【図１０】
0003143814.tif 000012
【図１１】
0003143814.tif 000013
【手続補正書】
【提出日】平成20年5月26日(2008.5.26)
【手続補正１】
【補正対象書類名】実用新案登録請求の範囲
【補正対象項目名】全文
【補正方法】変更
【補正の内容】
【実用新案登録請求の範囲】
【請求項１】
骨組みと、伝動ユニットと、複数の掛台と、モーターと、制御ユニットとを備える自動収納の洗濯物干し台であって、
前記骨組みは、二サポートフレーム及び一スライドレールを含み、前記スライドレールは前記二サポートフレームの間に固定されるとともに、遮蔽棚を設置し、前記遮蔽棚はスライドレールの一部を覆蓋し、前記スライドレールが前記複数の掛台を移動させる移動極限位置には接触点を設置し前記掛台と接触させており、
前記伝動ユニットは、相互に噛み合う伝動ギアと伝動ベルトを含み、前記伝動ギアと前記伝動ベルトは共に前記スライドレール内に設置されており、
前記複数の掛台は、前記スライドレール内に順番に設置されるとともに、主動掛台と複数の受動掛台を含み、前記主動掛台は前記伝動ベルトに固定されて前記伝動ベルトに従い移動し、前記受動掛台には溝孔を予め設置し、前記伝動ベルトが前記溝孔に自由に穿過することができ、また前記主動掛台と前記受動掛台は共にスライド溝を備え、前記スライド溝はプルバーに自由に穿過させ、前記スライド溝中段には係合ブロックを設置し、しかも前記各プルバーの端部には共に前記スライド溝より大きい固定端と終止端を形成し、
前記モーターは、前記スライドレールの伝動ユニットを連接し駆動し、これにより前記複数の掛台は前記スライドレールにおいて移動し、
前記制御ユニットは、光度センサーと、水滴センサーと、時間コントローラーと接続し、少なくとも光度センサーと、水滴センサーと、時間コントローラーの内の任意の一つから伝達される情報に基づき、前記モーターの作動を制御し、前記モーターは前記伝動ユニットを駆動し、前記複数の掛台は前記遮蔽棚の範囲内に集中するか、又は前記遮蔽棚の範囲外に分布する一方、前記制御ユニットは、前記スライドレールの接触点に電気的に連接し、前記接触点の情報に基づき前記モーターの作動を制御する、ことを特徴とする自動収納の洗濯物干し台。
【請求項２】
前記制御ユニットにはさらに手動制御ボタンを設置し、前記モーターの作動を直接制御することを特徴とする請求項１に記載の自動収納の洗濯物干し台。
【請求項３】
前記時間コントローラーは時間表示パネルに電気的に連接されることを特徴とする請求項１に記載の自動収納の洗濯物干し台。
【請求項４】
前記制御ユニットにはリモコンを設置することを特徴とする請求項１に記載の自動収納の洗濯物干し台。
【請求項５】
前記モーターと前記制御ユニットはバッテリーに電気的に連接されることを特徴とする請求項１に記載の自動収納の洗濯物干し台。
【請求項６】
前記バッテリーはソーラーパネルに電気的に連接されることを特徴とする請求項５に記載の自動収納の洗濯物干し台。
【請求項７】
前記ソーラーパネルには受信ユニットを設置し、前記受信ユニットは、前記制御ユニットが接続する光度センサー、水滴センサー、時間コントローラーから信号を受信するとともに前記制御ユニットに伝達し、前記制御ユニットは前記信号に基づき、前記モーターの作動を制御することを特徴とする請求項６に記載の自動収納の洗濯物干し台。
【請求項８】
前記掛台には軸棒を設置し、前記軸棒中段は連結部に係合し、さらに前記連結部両側においてそれぞれローラーを設置し、前記ローラーの端面には凹溝を環状に設置し、また前記スライドレール内部には２本の等距離のレールバーを設置し、前記ローラーの凹溝に対応し、前記掛台は前記スライドレール内において移動し、また前記掛台の頂端にはスライド溝を設置し、前記スライド溝内にはプルバーを嵌入することを特徴とする請求項１に記載の自動収納の洗濯物干し台。
【請求項９】
前記サポートフレームと前記遮蔽棚の間両側には定位ロープを設置することを特徴とする請求項１に記載の自動収納の洗濯物干し台。